(57)【特許請求の範囲】
【請求項１】
電子部品が実装され、外部の電子機器と接続するための複数のコネクタを備えた制御基板を、該複数のコネクタが露出する状態で収容する基板ケースと、遊技機の所定箇所を覆う裏カバーとが背面側に設けられる遊技機において、
前記基板ケースから露出している前記コネクタを覆うコネクタカバーを備え、前記複数のコネクタのうち、一部のコネクタを前記コネクタカバーが覆い、該コネクタカバーに覆われていない少なくとも一部のコネクタは前記裏カバーが覆うようにしたことを特徴とする遊技機。
【請求項２】
前記裏カバーは、前記コネクタカバーに上から重なるように設けられていることを特徴とする請求項１に記載の遊技機。
【請求項３】
前記コネクタカバーは、前記裏カバーにより前記基板ケース側へ圧接することにより前記遊技機に取り付けられていることを特徴とする請求項２に記載の遊技機。
【請求項４】
前記コネクタカバーは、止着部材を止着することにより前記基板ケースに取り付けられ、該止着部材の前記基板ケースにおける止着位置は、前記裏カバーに覆われる位置としたことを特徴とする請求項２又は請求項３に記載の遊技機。
【請求項５】
前記制御基板は、遊技媒体の払出制御を行う払出制御基板であり、前記基板ケースから露出している該払出制御基板の複数のコネクタのうち、前記コネクタカバーは、前記遊技機の枠部材側に取り付けられた遊技媒体払出装置と接続されるコネクタの一部を、前記裏カバーは、前記遊技機の遊技盤側に取り付けられた遊技全体のメイン制御を行う主制御基板と接続されるコネクタの一部を、少なくとも覆っていることを特徴とする請求項１乃至請求項４の何れか１項に記載の遊技機。
【発明の詳細な説明】
【技術分野】
【０００１】
本発明は、遊技機を制御する電子部品が実装された制御基板を収容するための基板ケースを備えた遊技機に関する。
【背景技術】
【０００２】
従来、パチンコ機等の遊技機においては、その遊技盤の背面側に、遊技の制御を行う制御基板を収容した基板ケースが設置されている。例えばパチンコ機の場合、制御基板には遊技全体のメイン制御を行う主制御装置や球払出装置を制御する払出制御装置等の制御回路を構成するＩＣや抵抗等の各種電子部品が実装されており、基板ケースはこの制御基板を外部から保護する役割をしている。
【０００３】
しかしながら、このようなパチンコ機が設置されたホールにて、主制御装置が大当り等を判定するためのプログラムが記憶されたＲＯＭが不正に交換され、ホールが多大な損害を被るといった問題が生じていた。このため、近年ではこうした不正行為を防止するために、この基板ケースに封止部を設け、不正に開封されることを防止する技術が採用されている。具体的には、略箱状に形成された基板ケースのベース部材又は蓋部材に各種電子部品が実装された基板をネジ止めした後、蓋部材にて覆い、封止部にて封止する構造を採っており、封止部を破壊してＲＯＭを不正に交換しようとすると、その痕跡が必ず残るようになっている（例えば、特許文献１参照）。なお、パチンコ機の基板ケースは、製造後にこの封止部を用いて一旦封止されるが、警察等の機関によってその開封を要求されることがあるため、複数回封止可能となっている。
【先行技術文献】
【特許文献】
【０００４】
【特許文献１】特開２００２−１１３２３２号公報
【発明の概要】
【発明が解決しようとする課題】
【０００５】
確かに、特許文献１のように基板ケースを容易に開放できないようにした点は、上記の不正対策としては有効である。しかしながら、制御基板の実装面には、外部の電子機器等と接続するための複数のコネクタが設けられており、これらのコネクタは、制御基板の実装面を覆う蓋部材の外側等に配設され、即ちコネクタは基板ケースから露出した状態となっている。従って、例えば、コネクタから正規のハーネスを抜いて不正な電子部品を接続する不正行為等は、容易に行うことができ、即ち制御基板のコネクタ箇所に対する不正対策は、十分ではなかった。
【０００６】
そこで、このような制御基板のコネクタ箇所に対する不正対策として、主制御装置や球払出装置の制御基板を収容する基板ケースの全体を覆うようなコネクタカバーを設けることが考えられる。しかしながら、遊技機背面側のスペースには、主制御装置や球払出装置以外にも、各種の電子部品や遊技装置等が密集して設けられており、従って、主制御装置や球払出装置の制御基板を収容する基板ケースの周囲には、コネクタカバーを取り付けることができるようなスペースが殆どないという問題点があった。
【０００７】
また、制御基板のコネクタは、外部の電子機器と接続する場合、例えば、遊技機の枠部材側に取り付けられた電子機器と接続する場合のように、一度接続されたらその後はほとんど抜き差しが行われないコネクタと、遊技機の遊技盤側に取り付けられた電子機器と接続する場合のように、遊技盤を交換するとき等に頻繁に抜き差しが行われるコネクタとがあり、従って、頻繁に抜き差しが行われるコネクタまでコネクタカバーで覆ってしまうと、配線作業が煩雑になってしまうという問題点があった。
【０００８】
本発明は、上記した問題点を解決するためになされたもので、その目的とするところは、基板ケースから露出している制御基板のコネクタ箇所を覆って保護するコネクタカバーを取り付けても、遊技機背面側の限られたスペースを有効活用できると共に、該制御基板のコネクタと外部の電子機器とを接続する配線作業が煩雑になることのない遊技機を提供することにある。
【課題を解決するための手段】
【０００９】
このような問題を解決するために、本発明の基板ケースのコネクタカバーは、請求項１に記載したように、電子部品が実装され、外部の電子機器と接続するための複数のコネクタを備えた制御基板を、該複数のコネクタが露出する状態で収容する基板ケースと、遊技機の所定箇所を覆う裏カバーとが背面側に設けられる遊技機において、前記基板ケースから露出している前記コネクタを覆うコネクタカバーを備え、前記複数のコネクタのうち、一部のコネクタを前記コネクタカバーが覆い、該コネクタカバーに覆われていない少なくとも一部のコネクタは前記裏カバーが覆うようにしたことを要旨とする。
【００１０】
また、請求項２に記載の発明は、請求項１に記載の遊技機において、前記裏カバーは、前記コネクタカバーに上から重なるように設けられていることを要旨とする。
また、請求項３に記載の発明は、請求項２に記載の遊技機において、前記コネクタカバーは、前記裏カバーにより前記基板ケース側へ圧接することにより前記遊技機に取り付けられていることを要旨とする。
【００１１】
また、請求項４に記載の発明は、請求項２又は請求項３に記載の遊技機において、前記コネクタカバーは、止着部材を止着することにより前記基板ケースに取り付けられ、該止着部材の前記基板ケースにおける止着位置は、前記裏カバーに覆われる位置としたことを要旨とする。
【００１２】
また、請求項５に記載の発明は、請求項１乃至請求項４の何れか１項に記載の遊技機において、前記制御基板は、遊技媒体の払出制御を行う払出制御基板であり、前記基板ケースから露出している該払出制御基板の複数のコネクタのうち、前記コネクタカバーは、前記遊技機の枠部材側に取り付けられた遊技媒体払出装置と接続されるコネクタの一部を、前記裏カバーは、前記遊技機の遊技盤側に取り付けられた遊技全体のメイン制御を行う主制御基板と接続されるコネクタの一部を、少なくとも覆っていることを要旨とする。
【発明の効果】
【００１３】
請求項１の発明は、遊技機の背面側に、電子部品が実装され、外部の電子機器と接続するための複数のコネクタを備えた制御基板を、この複数のコネクタが露出する状態で収容する基板ケースと、遊技機の所定箇所を覆う裏カバーとが設けられている。また、この遊技機は、コネクタカバーを備えており、このコネクタカバーが、基板ケースから露出しているコネクタを覆っている。
【００１４】
ここで、本発明では、基板ケースから露出している複数のコネクタのうち、コネクタカバーが、一部のコネクタを覆い、裏カバーが、コネクタカバーに覆われていない一部のコネクタを少なくとも覆うようにしている。即ち、本発明は、コネクタカバーと裏カバーとで、基板ケースから露出している複数のコネクタを覆っている。
【００１５】
従って、このように構成される本発明においては、裏カバーは遊技機にもともとある構成であり、これを利用することで、新たな構成を付加することがなく、その結果、遊技機背面側の限られたスペースを有効に活用することができると共に、遊技機背面側の構造を複雑化させることなく、コストダウンとなる。また、裏カバーで一部のコネクタを覆うようにしたので、その分、コネクタカバーを小さく形成することができ、その結果、遊技機背面側の貴重なスペースを取ることがなく、さらに、コネクタカバーのコストも抑えることができると共に、コネクタカバーが基板ケースから外れやすくなってしまうことを防止できる。
【００１６】
請求項２の発明は、裏カバーを、コネクタカバーの上から重なるように設けている。従って、このように構成される本発明においては、コネクタカバーが覆っているコネクタに不正しようとすると、コネクタカバーの上から重なる裏カバーを取り除かなければならず、その結果、コネクタカバーの開放に時間がかかり、コネクタカバーが覆っているコネクタに対する不正行為が困難になる。
【００１７】
さらに、制御基板の複数のコネクタには、接続される外部の電子機器によって、頻繁に抜き差しが行われるコネクタと、ほとんど抜き差しが行われないコネクタとがあり、従って、頻繁に抜き差しが行われるコネクタは裏カバーで覆い、ほとんど抜き差しが行われないコネクタはコネクタカバーで覆うようにすれば、頻繁に抜き差しが行われるコネクタの配線作業が煩雑になることはなく、一方、ほとんど抜き差しが行われないコネクタに対する不正行為は困難になる。即ち、ほとんど抜き差しが行われない制御基板のコネクタは、コネクタカバーで覆って不正対策を強化し、頻繁に抜き差しが行われる制御基板のコネクタは、裏カバーのみで覆って作業性も考慮に入れた不正対策を施すことが可能となる。
【００１８】
請求項３の発明は、コネクタカバーを、裏カバーにより基板ケース側へ圧接することにより遊技機に取り付けている。従って、このように構成される本発明においては、遊技機背面側のスペースに余裕がなく、仮に、コネクタカバーを基板ケースに取り付けるのが困難な場合であっても、裏カバーでコネクタカバーを基板ケース側に圧接するだけで、容易に基板ケースにコネクタカバーを取り付けることが可能となる。
【００１９】
請求項４の発明は、コネクタカバーを、止着部材を止着することにより基板ケースに取り付ける。なお、止着部材としてはネジ等が挙げられ、例えば基板ケースに設けた取付部材にネジを螺入して止着することにより、コネクタカバーを基板ケースに取り付ける。しかして、止着部材の基板ケースにおける止着位置は、裏カバーに覆われる位置としている。従って、このように構成される本発明においては、止着部材を取り外してコネクタに不正しようとすると、止着部材の止着位置を覆っている裏カバーを取り除かなければならず、その結果、コネクタカバーの開放に時間がかかり、コネクタカバーが覆っているコネクタに対する不正行為が困難になる。
【００２０】
ここで、本発明の具体的な構成としては、次のような構成が考えられる。即ち請求項５の発明は、制御基板は、遊技媒体の払出制御を行う払出制御基板であり、基板ケースから露出している払出制御基板の複数のコネクタのうち、コネクタカバーが、遊技機の枠部材側に取り付けられた遊技媒体払出装置と接続されるコネクタの一部を、少なくとも覆っている。また、基板ケースから露出している払出制御基板の複数のコネクタのうち、裏カバーが、遊技機の遊技盤側に取り付けられた遊技全体のメイン制御を行う主制御基板と接続されるコネクタの一部を、少なくとも覆っている。
【００２１】
従って、このように構成される本発明においては、基板ケースから露出している払出制御基板の複数のコネクタのうち、遊技機の遊技盤側に取り付けられた主制御基板と接続され、遊技盤を交換するとき等で頻繁に抜き差しが行われるコネクタの一部を、裏カバーが少なくとも覆い、一方、遊技機の枠部材側に取り付けられた遊技媒体払出装置と接続され、一度遊技媒体払出装置と接続されたらその後はほとんど抜き差しが行われないコネクタの一部を、コネクタカバーが少なくとも覆うようにしたので、その結果、頻繁に抜き差しが行われる主制御基板と接続されるコネクタの配線作業が煩雑になることはなく、一方、ほとんど抜き差しが行われない遊技媒体払出装置と接続されるコネクタに対する不正行為は困難になる。即ち、ほとんど抜き差しが行われない遊技媒体払出装置と接続される制御基板のコネクタは、コネクタカバーで覆って不正対策を強化し、頻繁に抜き差しが行われる遊技媒体払出装置と接続される制御基板のコネクタは、裏カバーのみで覆って作業性も考慮に入れた不正対策を施すことが可能となる。
【００２２】
次に特許請求の範囲の構成と、本発明の実施形態との主な対応を説明する。
制御基板は、払出制御基板２に相当し、コネクタは、コネクタ４に相当し、基板ケースは、基板ケース１に相当し、遊技機は、パチンコ機９６に相当し、裏カバーは、裏カバー９７に相当し、コネクタカバーは、コネクタカバー７に相当し、コネクタカバーが覆うコネクタは、払出制御基板２の下側に位置するコネクタ４に相当し、裏カバーが覆うコネクタは、払出制御基板２の上側に位置するコネクタ４に相当し、止着部材は、ネジ２３に相当し、払出制御基板は、払出制御基板２に相当し、枠部材は、枠部材１００に相当する。
【図面の簡単な説明】
【００２３】
【図１】本実施形態に係わる払出制御基板２を収容した基板ケース１が設けられたパチンコ機９６の部分背面図である。
【図２】本実施形態に係わる基板ケース１の分解斜視図である。
【図３】本実施形態に係わる基板ケース１の蓋体５にコネクタカバー７を取り付けるときの斜視図である。
【図４】本実施形態に係わる基板ケース１の斜視図である。
【図５】本実施形態に係わる基板ケース１の３面図（正面図、平面図、右側面図）である。
【図６】本実施形態に係わる基板ケース１のＡ−Ａ断面における断面図である。
【図７】本実施形態に係わるコネクタカバー７の全体斜視図である。
【図８】本実施形態に係わる基板ケース１の蓋体５に払出制御基板２及びコネクタカバー７を取り付けるときの斜視図である。
【図９】本実施形態に係わるコネクタカバー７を取り付けたときの基板ケース１の正面図である。
【図１０】本実施形態に係わるコネクタカバー７を取り付けたときの基板ケース１のＢ−Ｂ断面における断面図である。
【図１１】本実施形態に係わる基板ケース１の正面図、背面図及び基板ケース１の封止を解除したときの状態を示す説明図である。
【図１２】本実施形態に係わる基板ケース１を封止するときの状態を示す説明図である。
【図１３】本実施形態に係わる基板ケース１のＣ−Ｃ断面におけるスライド固定部９とスライド固定部２９とを係合するときの状態を示す模式図である。
【図１４】本実施形態に係わる固定部材５０を示す説明図である。
【図１５】本実施形態に係わる基板ケース１のＤ−Ｄ断面におけるベース体３と蓋体５とを固定して基板ケース１を封止するときの状態を示す説明図である。
【図１６】本実施形態に係わるコネクタカバー７を取り付けたときの基板ケース１のＢ−Ｂ断面における一部拡大断面図である。
【図１７】本実施形態に係わる裏カバー９７とコネクタカバー７との配置状態を示す説明図である。
【発明を実施するための形態】
【００２４】
１．基板ケース１のパチンコ機９６への装着状態
以下に、本発明を実施するための形態を図を用いて説明する。まず、図１を参照しながら、基板ケース１のパチンコ機９６への装着状態について説明する。図１は、本発明を適用した払出制御基板２を収容した基板ケース１が設けられたパチンコ機９６の部分背面図である。図１に示すように、パチンコ機９６は、矩形状の枠部材１００に図示しない遊技盤が着脱自在に設けられて形成され、基板ケース１は、パチンコ機９６背面の略右下方に適宜手段で枠部材１００側に取り付けられている。また、基板ケース１の内部には、遊技球の払出制御を行うためのＩＣや抵抗等の各種電子部品が実装された払出制御基板２が設けられている。
【００２５】
パチンコ機９６の背面側には、裏カバー９７が設けられており、この裏カバー９７は、図示していないが、一対のヒンジと係合片とでパチンコ機９６に対して回動可能に、且つ着脱自在に装着されている。裏カバー９７は、図１に示すように、その下端部９８が、基板ケース１の後述するコネクタカバー７の上端突片６やリブ１８に上から重なるように圧接して設けられており、即ち、基板ケース１（コネクタカバー７）と裏カバー９７とは、この領域で当接している。さらに、下端部９８の右側に位置する遮蔽部９８ａが、コネクタカバー７を基板ケース１に取り付けている後述のネジ２３を遮蔽するようになっている。従って、基板ケース１からコネクタカバー７を取り外すときには、裏カバー９７を開放しなければならず、これにより払出制御基板２の後述するコネクタ４に対する不正行為を困難にしている。なお、裏カバー９７は、透明な材料（合成樹脂等）にて形成されているので、重なった基板ケース１の領域は、パチンコ機９６背面側から視認可能である。
【００２６】
また、裏カバー９７には、中央部に略矩形状の窓９９が穿設されており、この窓９９に、遊技全体のメイン制御を行うためのＩＣや抵抗等の各種電子部品が実装された主制御基板が収容された基板ケース９５が臨むように設けられている。この基板ケース９５は、遊技盤の背面側に取り付けられ、即ち、払出制御基板２の基板ケース１は枠部材１００側に、主制御基板の基板ケース９５は遊技盤側に、それぞれ取り付けられている。基板ケース９５は、基板ケース１よりも大きく形成されて、基板ケース１の上側に隣接するように設けられており、これら基板ケース１と基板ケース９５との間は、殆ど隙間がないようになっている。
【００２７】
２．基板ケース１の構成
基板ケース１の構成を図２〜図１２に基づいて説明する。図２は、基板ケース１の分解斜視図であり、図３は、基板ケース１の蓋体５にコネクタカバー７を取り付けるときの斜視図であり、図４は、基板ケース１の斜視図であり、図５は、基板ケース１の３面図（正面図、平面図、右側面図）であり、図６は、基板ケース１のＡ−Ａ断面における断面図であり、図７は、コネクタカバー７の全体斜視図であり、図８は、基板ケース１の蓋体５に払出制御基板２及びコネクタカバー７を取り付けるときの斜視図であり、図９は、コネクタカバー７を取り付けたときの基板ケース１の正面図であり、図１０は、コネクタカバー７を取り付けたときの基板ケース１のＢ−Ｂ断面における断面図であり、図１１は、基板ケース１の正面図、背面図及び基板ケース１の封止を解除したときの状態を示す説明図であり、図１２は、基板ケース１を封止するときの状態を示す説明図である。なお、基板ケース１は、図１に示すパチンコ機９６の背面側から視た場合を正面として説明する。
【００２８】
基板ケース１は、上記したように、パチンコ機９６の払出制御基板２を収容して保護するためのケースであって略直方体の形状を有しており、大別すると、ベース体３と、蓋体５とから構成されている。まず、ベース体３は、図２、図１１に示すように、略平板状に透明な材料（合成樹脂等）にて形成され、その中央には矩形平板状のベース板１３が形成されベース体３の大部分を占めている。ベース体３の上下両端にはスライド固定部９が形成されている。このスライド固定部９は、後述する蓋体５のスライド固定部２９と係合して、ベース体３と蓋体５とを重合する部材である。なお、スライド固定部９の構成については後述する。
【００２９】
ベース体３の左右両端には、ベース体３と蓋体５とを接続固定して基板ケース１を封止するための筒状部材１４が、対向状にそれぞれ４個ずつ連設されている。筒状部材１４は、図１１（Ｃ）、（Ｄ）に示すように、四角く区画された収納空間１６の略中央に配置され、一対の支持腕１５によって、その左右両側部が支持されてベース体３に接続されている。支持腕１５は、基板ケース１を組み付けた後の状態では、基板ケース１の背面側から視ると、その底面が露出するようになっている。また、筒状部材１４の内部には、図２に示すように、後述する固定部材５０を構成するカシメピン２８を係止するリング１７が装着されている。なお、筒状部材１４及びリング１７の構成については後述する。
【００３０】
一方、ベース体３に蓋をする蓋体５は、図２に示すように、略平板状に透明な材料（合成樹脂等）にて形成され、その上下両端にはスライド固定部２９が形成されている。このスライド固定部２９は、上記したように、ベース体３のスライド固定部９と係合して、ベース体３と蓋体５とを重合する部材である。なお、スライド固定部２９の構成については後述する。
【００３１】
蓋体５の中央部には、蓋体５の大部分を占める略矩形箱状の基板装着部２４が前記ベース板１３と対向するように形成され、払出制御基板２は、図６、図８に示すように、基板装着部２４に設けられた筒状の取付部材２０ａ、２０ｂ、２０ｃ、２０ｄに、背面側からネジ２１で固定されるようになっており、つまり払出制御基板２は、蓋体５側に取り付けられる。ここで、基板装着部２４の右上部に設けられた取付部材２０ａは、図６、図１０に示すように、基板装着部２４の上面板２５を貫通して形成されており、その中央部分には仕切板２２が設けられている。これにより、取付部材２０ａは、２つに分割されて基板装着用取付部材２０ａｈとカバー装着用取付部材２０ａｋとが一連対称状に一体的に形成され、基板装着用取付部材２０ａｈには、払出制御基板２がネジ２１にて背面側から螺着され、カバー装着用取付部材２０ａｋには、後述するコネクタカバー７が正面側からネジ２３にて螺着されるようになっている。
【００３２】
また、基板装着部２４と上方のスライド固定部２９との間、及び基板装着部２４と下方のスライド固定部２９と間の左右には、複数の開口２６が穿設されており、この開口２６により、蓋体５に払出制御基板２を取り付けたとき、払出制御基板２の実装面に設けられたコネクタ４が蓋体５から露出するようになっている（図５、図６参照）。このコネクタ４は、図８に示すように、払出制御基板２の上下端部の左右に設けられており、他の電子部品、即ち、遊技全体のメイン制御を行う主制御基板及び所定数の遊技球を払い出す球払出装置と払出制御基板２とを電気的に接続するための部品である。なお、図８では、払出制御基板２の実装面におけるコネクタ４以外の電子部品等は、図示を省略している。
【００３３】
払出制御基板２の上側に位置するコネクタ４は、遊技盤側に取り付けられた主制御基板と接続され、下側に位置するコネクタ４は、枠部材１００側に取り付けられた球払出装置と接続されるようになっている。上側のコネクタ４は、遊技盤を交換するとき等、頻繁に抜き差しが行われるコネクタであり、一方、下側のコネクタ４は、一度球払出装置と接続されたら、その後はほとんど抜き差しが行われないコネクタである。なお、基板装着部２４には、払出制御基板２から発生する熱を逃がすための多数の放熱孔１９が穿設されている。
【００３４】
蓋体５の左右両端には、ベース体３の筒状部材１４に対向するように筒状部材３４が設けられており、この筒状部材３４は、図２に示すように、四角く区画された収納空間３６の略中央に配置され、図１１（Ａ）、（Ｂ）に示すように、支持腕３５によって、その一側部（左に位置する筒状部材３４は左側部、右に位置する筒状部材３４は右側部）が支持されて蓋体５に接続されている。なお、筒状部材３４の構成については後述する。
【００３５】
図中、４０は、カシメカバーであり、このカシメカバー４０は、筒状部材３４（筒状部材１４）を覆うことが可能なように略矩形蓋状に形成されている。カシメカバー４０は、蓋体５に突設されたコ字状のガイド部材４１の内側に、その外壁面が当接するように嵌合された後、蓋体５の背面側からネジ４２にて蓋体５に螺着される。なお、カシメカバー４０を蓋体５に装着した状態では、図１１（Ａ）、（Ｂ）に示すように、支持腕３５前面の一部が露出するようになっている。また、カシメカバー４０は、透明な材料（合成樹脂等）にて形成されており、カシメカバー４０を蓋体５に装着した状態では、筒状部材３４（筒状部材１４）は外部から視認可能になっている。また、カシメカバー４０には、４つの孔４３が穿設され、この孔４３は、筒状部材３４（筒状部材１４）の中心に対向するように形成されている。これは、基板ケース１を封止するときに用いる後述する固定部材５０を構成するワンウェイビス２７を螺入するとき、専用工具をこの孔４３に挿入するためのものである（図１２参照）。
【００３６】
次に、コネクタカバー７について説明する。コネクタカバー７は、図７、図９、図１０に示すように、透明な材料（合成樹脂等）にて肉厚の薄い略Ｌ字状に形成され、蓋体５の基板装着部２４をほぼ覆うように基板ケース１に取り付けられ、基板ケース１から露出する払出制御基板２のコネクタ４を覆って保護する部材である。基板ケース１は、コネクタカバー７が取り付けられた状態では、コネクタカバー７が取り付けられていない状態と比較しても、その大きさはほとんど変わらないようになっている。
【００３７】
コネクタカバー７は、覆板７５と底板７６とから形成され、覆板７５は、略矩形状に形成され、その上端には、前方にやや突出するように形成されたリブ１８が設けられている。覆板７５の上部中央には、上方に突出する上端突片６が設けられており、この上端突片６とリブ１８とは、上記した裏カバー９７と係合する箇所であり、上端突片６とリブ１８に裏カバー９７が上から重なるように係合することで、コネクタカバー７を基板ケース１側に圧接するようになっている。
【００３８】
また、覆板７５の右上端にはフック７３ａが設けられており、このフック７３ａは、図１０に示すように、基板装着部２４の右上側に形成された右上板３０に当接して係合するようになっている。右上板３０は、基板ケース１の上端面から下側に位置しており、従って、上述した主制御基板が収容された基板ケース９５が基板ケース１の上側に隣接していても、該基板ケース９５が邪魔になってフック７３ａが右上板３０に係合できないことはない。また、覆板７５の左上端にはフック７３ｂが設けられており、このフック７３ｂは、図７に示すように、上記フック７３ａよりも小さく形成され、フック７３ａと同様に基板装着部２４の左上側に形成された左上板３１に当接して係合するようになっている。
【００３９】
また、覆板７５の上部右端には、上記したカバー装着用取付部材２０ａｋにネジ２３を螺着するためのネジ孔部７７が設けられている。なお、図中、７２は、放熱開口であり、この放熱開口７２は、上記した放熱孔１９に対応して穿設され、払出制御基板２から発生する熱を逃がすようになっている。
【００４０】
覆板７５は、図９に示すように、上端突片６を除く左右上端は、蓋体５の開口２６よりわずかに下側に位置しており、払出制御基板２の上側に位置するコネクタ４は、露出した状態となっている。つまり、コネクタカバー７は、払出制御基板２の下側に位置するコネクタ４のみを覆うようになっている。
【００４１】
一方、コネクタカバー７の底板７６は、基板ケース１の下側部分を覆うように略矩形状に形成され、その左右両端には、底板７６から左右に延びる一対の係止片７９を有している。この係止片７９には、その奥側先端に爪８０が形成されており、この爪８０は、図１０に示すように、ベース体３の下側に形成された下板１０の裏面１０ａに係止するようになっている。即ち、コネクタカバー７は、覆板７５に形成された上端突片６、リブ１８、フック７３ａ、７３ｂ及びネジ孔部７７と、底板７６に形成された係止片７９とによって、基板ケース１に取り付けらけるようになっている。なお、係止片７９は、上記したようにベース体３下側の下板１０に係止するので、当然ながら、上述した主制御基板が収容された基板ケース９５が邪魔になって係止片７９が下板１０の裏面１０ａに係止できないことはない。
【００４２】
３．基板ケース１の組立
次に、基板ケース１の組立について説明する。基板ケース１を組み立てるには、まず、図６、図８に示すように、払出制御基板２を蓋体５に組み付ける。蓋体５に対する払出制御基板２の組み付けは、蓋体５の基板装着部２４に設けられた取付部材２０ａ（基板装着用取付部材２０ａｈ）、２０ｂ、２０ｃ、２０ｄに、背面側からネジ２１により螺着することで行う。これにより、払出制御基板２は、ＩＣや抵抗等の各種電子部品が実装された実装面が蓋体５側を向いた状態で、基板装着部２４に組み付けられる。この際、払出制御基板２のコネクタ４が蓋体５の開口２６を挿通し、払出制御基板２のコネクタ４は、蓋体５から露出した状態になっている。
【００４３】
払出制御基板２を蓋体５に組み付けたら、次に、ベース体３と蓋体５とを組み付ける。上述のように払出制御基板２が取り付けられた蓋体５を、ベース体３に組み付けるには、ベース体３に設けられたスライド固定部９と、蓋体５に設けられたスライド固定部２９とを係合させることにより行う。ここで、図１１、図１３を参照しながら、ベース体３のスライド固定部９と、蓋体５のスライド固定部２９の構成について説明する。なお、図１３は、基板ケース１のＣ−Ｃ断面におけるスライド固定部９とスライド固定部２９とを係合するときの状態を示す模式図である。まず、スライド固定部２９は、図１３において、段差状に設けられたガイド片８１と、ガイド片８１の右端に設けられた先端８３と、先端８３の左側にガイド片８１から上方に突出するように設けられたストッパ片８２と、ガイド片８１とストッパ片８２とで形成される溝８４とを備えている。スライド固定部２９は、これらガイド片８１、ストッパ片８２、先端８３、溝８４を一組として蓋体５の上下両端に、図１１に示すように、複数組ずつ形成されている。なお、図１３においては、説明便宜のため、ガイド片８１、ストッパ片８２、先端８３、溝８４を三組示し、スライド固定部９は黒に、スライド固定部２９は白に表示し、それら以外の構成を省略している。
【００４４】
次に、スライド固定部９は、図１３において、段差状に設けられた受板９１と、受板９１の左側に設けられた覆板９２と、覆板９２の左端に設けられた先端９３と、受板９１と覆板９２とで形成される溝９４とを備えている。スライド固定部９は、これら受板９１、覆板９２、先端９３、溝９４を一組としてベース体３の上下両端に、図１１に示すように、スライド固定部２９と対応するように複数組ずつ形成されている。なお、図１３においては、説明の便宜のため、受板９１、覆板９２、先端９３、溝９４を三組示し、スライド固定部９以外の構成を省略している。
【００４５】
このように構成されたスライド固定部９とスライド固定部２９とを係合させるには、まず、図１３（Ａ）の矢印Ｖに示すように、上方からガイド片８１を受板９１に重合させる。この際、ガイド片８１の下段は、受板９１の下段よりも若干短く形成されているので、隣接する受板９１の覆板９２同士で形成される空間にガイド片８１の下段を容易に挿入することができる。なお、図１３（Ｂ）は、ガイド片８１を受板９１に重合させたときの状態を示している。
【００４６】
そして、この状態から図１３（Ｂ）の矢印Ｈに示すように、右方向に蓋体５をベース体３に対してスライドさせ、スライド固定部９とスライド固定部２９とを係合させる。なお、図１３（Ｃ）は、スライド固定部９とスライド固定部２９とが係合したときの状態を示している。図１３（Ｃ）に示すように、スライド固定部２９を右方向にスライドさせると、ストッパ片８２が先端９３に当接しスライド固定部９とスライド固定部２９とは係合する。この際、溝８４は覆板９２により閉塞され、溝９４はガイド片８１（ストッパ片８２の右側部分）により閉塞されるようになっている。
【００４７】
スライド固定部９とスライド固定部２９とを係合させてベース体３と蓋体５とを重合したら、次に、ベース体３と蓋体５とを固定して基板ケース１を封止する。ここで、ベース体３と蓋体５とを封止する際に使用される固定部材５０について図１４を用いて説明する。図１４は、固定部材５０を示す説明図である。固定部材５０は、図１４に示すように、ワンウェイビス２７とカシメピン２８とで構成されており、カシメピン２８は、下方にやや縮径した円柱状の本体５１の上端部にフランジ状の係止部５２が形成され、その中央から下端にかけて軸線に沿った所定幅のスリット５３が形成されている。このため、カシメピン２８の下部はスリット５３の幅方向に所定量弾性変形できるようになっている。
【００４８】
また、本体５１の下端には、外径方向に突出した逆止片５４が一対設けられている。この逆止片５４は、カシメピン２８の下端側から上方に向かってその断面が大きくなるテーパ状に形成され、その下端部が挿入部５４ａを、上端部が係止部５４ｂをそれぞれ形成している。
【００４９】
また、ワンウェイビス２７は、カシメピン２８の上端部にワッシャ５５を介して螺入されている。このワッシャ５５には、その外径が係止部５２の上端面の外径と同一のものが使用されているため、カシメピン２８の係止部５２の表面は、金属部材により覆われるようになっている。なお、このワンウェイビス２７は、周知のように、締結方向にのみ回動可能に構成されたネジであり、一旦係止部５２に螺入されると、工具を用いてこれをリバースさせることは極めて困難となる。
【００５０】
そして、ベース体３と蓋体５とを固定するには、このように構成された固定部材５０を筒状部材１４、３４に固定することにより行う。ここで、基板ケース１の封止構造について図１２、図１５を用いて説明する。なお、図１５は、基板ケース１のＤ−Ｄ断面におけるベース体３と蓋体５とを固定して基板ケース１を封止するときの状態を示す説明図である。なお、図１５においては、説明便宜のため、固定部材５０、リング１７、筒状部材１４、３４の構成のみを示し、固定部材５０の断面線は省略して表示している。蓋体５に設けられた筒状部材３４は、筒状に形成された筒状部５６と、筒状部５６の内径が小径化された段差部５７とを有している。また、ベース体３に設けられた筒状部材１４は、蓋体５側を開口部とする有底筒状に形成されている。
【００５１】
これら筒状部材１４、３４の間には、図１５に示すように、リング１７が同軸状に装着される。このリング１７は、固定部材５０の逆止片５４を係止するためのものであり、その外径がベース体３の筒状部材１４における内径に一致し、その内径が蓋体５の筒状部材３４における段差部５７の内径にほぼ一致する筒状体からなる。また、このリング１７は、この一端に設けられたフランジ部５８を備え、このフランジ部５８がベース体３の筒状部材１４に接着されて固定される。そして、ベース体３に蓋体５が組み付けられた際には、各筒状部材１４、３４が同軸状に配置されて、筒状部材１４、３４及びリング１７により連通孔５９が形成される。
【００５２】
固定部材５０は、図１５（Ａ）に示すように、その逆止片５４が蓋体５の筒状部材３４における段差部５７に支持され、係止部５２が筒状部５６の内壁に支持される態様で、筒状部材３４内部の連通孔５９上方に形成される待機空間６０に一時的に保持される。
【００５３】
そして、ベース体３と蓋体５とを封止の際には、ベース体３と蓋体５とが組み付けられた重合状態において、図１２（Ａ）、（Ｂ）の矢印Ａ、Ｂに示すように、所定の棒状の専用工具をカシメカバー４０の孔４３に挿通し、上述した待機空間６０にて待機状態にある固定部材５０（ワンウェイビス２７）を押圧して、これを連通孔５９内に挿入する。すると、図１５（Ｂ）に示すように、固定部材５０が連通孔５９内に挿通される。
【００５４】
このとき、固定部材５０の逆止片５４がリング１７の端面に、係止部５２が蓋体５の筒状部材３４における段差部５７にそれぞれ係止されることにより、固定部材５０がベース体３と蓋体５とを挟持する態様でこれらを互いに固定して基板ケース１を封止する。固定部材５０が連通孔５９に挿入される際には、挿入部５４ａがテーパ状になっており、且つスリット５３が形成されていることから、固定部材５０がその下部で撓みながら連通孔５９内にスムーズに挿入される。そして、逆止片５４が連通孔５９を貫通すると、固定部材５０の下端部が弾性復帰して係止部５４ｂが係止されるため、固定部材５０を挿入方向とは逆方向に引き抜くことは困難となる。
【００５５】
なお、この封止作業においては、左右に四対（計８個）配設された固定部材５０のうち、対角線状に配置された一対（カシメカバー４０に印字された同じ数字の固定部材５０）が使用されるため、本実施形態の場合、遊技機の出荷時を含めて計４回の封止が可能となっている。
【００５６】
４．コネクタカバー７の取付
ベース体３と蓋体５とを組み付けたら、基板ケース１を適宜手段でパチンコ機９６に取り付けてから、上側のコネクタ４に主制御基板のコネクタを、下側のコネクタ４に球払出装置のコネクタをそれぞれ接続した後、コネクタカバー７を基板ケース１に取り付ける。基板ケース１に対するコネクタカバー７の固定は、まず、コネクタカバー７の覆板７５を基板装着部２４の上面板２５に当接するように宛がい、コネクタカバー７のフック７３ａ、７３ｂを基板装着部２４の右上板３０、左上板３１に引っ掛けるように係合する。そして、この状態でコネクタカバー７を基板ケース１側に押圧する。すると、底板７６の係止片７９が、基板ケース１の外側に弾性変形しながら移動し、係止片７９がベース体３の下板１０の裏面１０ａに到達すると、底板７６が下板１０に当接すると共に、係止片７９が弾性復帰して爪８０が下板１０の裏面１０ａに係合する。これにより、コネクタカバー７のネジ孔部７７が基板装着部２４のカバー装着用取付部材２０ａｋ（取付部材２０ａ）と同軸状に位置する。そして、ネジ２３をカバー装着用取付部材２０ａｋに螺入することで、コネクタカバー７を基板ケース１に固定する。
【００５７】
この状態では、図９に示すように、払出制御基板２の下側に位置するコネクタ４は、コネクタカバー７により覆われており、一方、払出制御基板２の上側に位置するコネクタ４は、コネクタカバー７に覆われておらず、基板ケース１から露出した状態となっている。また、図１６に示すように、取付部材２０ａは、基板装着用取付部材２０ａｈも備えており、この基板装着用取付部材２０ａｈには、払出制御基板２を固定するためのネジ２１が螺入されている。なお、図１６は、コネクタカバー７を取り付けたときの基板ケース１のＢ−Ｂ断面における一部拡大断面図である。
【００５８】
つまり、取付部材２０ａは、払出制御基板２を固定するためにもともと蓋体５に設けられていた取付部材であり、本実施形態では、このもともとあった取付部材２０ａにカバー装着用取付部材２０ａｋを一体的に形成することで、コネクタカバー７を固定するようにしている。即ち、取付部材２０ａは、正面側からカバー装着用取付部材２０ａｋによりコネクタカバー７を固定し、背面側から基板装着用取付部材２０ａｈにより払出制御基板２を固定している。なお、その他の取付部材２０ｂ、２０ｃ、２０ｄは、払出制御基板２のみを固定している。
【００５９】
そして、基板ケース１にコネクタカバー７を固定したら、図１７に示すように、裏カバー９７をセットする。なお、図１７は、裏カバー９７とコネクタカバー７との配置状態を示す説明図であり、（Ａ）は、コネクタカバー７を取り付けたときの基板ケース１と裏カバー９７との配置状態を示す正面図であり、（Ｂ）は、（Ａ）のＥ−Ｅ断面における断面図である。
【００６０】
図に示すように、裏カバー９７をパチンコ機９６にセットすると、裏カバー９７の下端部９８がコネクタカバー７の上端突片６を上から覆うようにして、リブ１８と当接する。これにより、コネクタカバー７は、裏カバー９７により基板ケース１側に圧接された状態となり、基板ケース１に対するコネクタカバー７の固定をより強固にしている。また、この状態では、払出制御基板２の上側に位置するコネクタ４は、裏カバー９７により覆われて遮蔽された状態となり、つまり、払出制御基板２のコネクタ４は、下側に位置するコネクタ４がコネクタカバー７により遮蔽され、上側に位置するコネクタ４が裏カバー９７により遮蔽されている。さらに、（Ｂ）に示すように、払出制御基板２の下側に位置するコネクタ４はコネクタカバー７により、払出制御基板２の上側に位置するコネクタ４は、裏カバー９７とリブ１８により、ほぼ密閉された状態となっている。これにより、払出制御基板２のコネクタ４に対する不正行為を困難にしている。
【００６１】
また、裏カバー９７をパチンコ機９６にセットすると、下端部９８の右側に位置する遮蔽部９８ａが、カバー装着用取付部材２０ａｋに螺入することでコネクタカバー７を基板ケース１に固定しているネジ２３を、遮蔽するようになっている。即ち、裏カバー９７は、パチンコ機９６にもともとある構成であり、このもともとある裏カバー９７の下端部９８を下方に延設するだけで、新たな構成を付加することなく、容易に払出制御基板２の上側に位置するコネクタ４とコネクタカバー７を基板ケース１に固定しているネジ２３とを、遮蔽することができる。そして、裏カバー９７を開放しなければコネクタカバー７を取り外すことができないため、これにより、払出制御基板２のコネクタ４に対する不正行為を困難にしている。
【００６２】
５．基板ケース１の封止解除
パチンコ機９６に取り付けられた基板ケース１の封止状態を解除するには、まず、コネクタカバー７を圧接している裏カバー９７を回動又は取り外して、基板ケース１全体を露出させる。そして、カバー装着用取付部材２０ａｋからネジ２３を取り外し、基板ケース１へのコネクタカバー７の係止を解除することで、基板ケース１からコネクタカバー７を離脱する。そして、コネクタ４に接続されている外部装置のコネクタを外し、基板ケース１をパチンコ機９６から取り外した後、図１１（Ａ）、（Ｂ）に示すように、蓋体５のカシメカバー４０から露出している支持腕３５（図１１（Ａ）、（Ｂ）における斜線部分）を、ニッパ等の工具により切断する。ニッパ等の工具は、蓋体５の収納空間３６により、刃先をこの空間に挿入して容易に支持腕３５を切断することができる。支持腕３５を切断すると、蓋体５から筒状部材３４は分離され、この分離された筒状部材３４は、固定部材５０によってベース体３にのみ取り付けられている状態となる。
【００６３】
そして、基板ケース１を裏返し、図１１（Ｃ）、（Ｄ）に示すように、ベース体３の支持腕１５（図１１（Ｃ）、（Ｄ）における斜線部分）を、ニッパ等の工具により切断する。ニッパ等の工具は、ベース体３の収納空間１６により、刃先をこの空間に挿入して容易に支持腕１５を切断することができる。支持腕１５を切断すると、ベース体３から筒状部材１４は分離され、これにより、筒状部材１４、筒状部材３４、固定部材５０は、図１５（Ｂ）に示す状態のまま、基板ケース１から完全に分離して取り除かれる。そして、ベース体３に対して蓋体５をスライドさせ、スライド固定部９とスライド固定部２９との係合を解除する。これにより、基板ケース１の封止状態は完全に解除される。
【００６４】
６．本実施形態の効果
（１）基板ケース１をパチンコ機９６に装着した状態では、コネクタカバー７は、裏カバー９７で上から覆うようにして基板ケース１側に圧接され、払出制御基板２のコネクタ４は、下側に位置するコネクタ４がコネクタカバー７により遮蔽され、上側に位置するコネクタ４が裏カバー９７により遮蔽されている。従って、コネクタ４に不正しようとすると、まず、裏カバー９７を支障のない位置まで開放もしくは裏カバー９７を取り外さなければならず、その結果、コネクタカバー７の開放に時間がかかり、コネクタ４に対する不正行為が困難になる。
【００６５】
（２）パチンコ機９６背面側のスペースに余裕がなく、仮に、コネクタカバー７の係止片７９が基板ケース１に係止できないような状態（例えば、基板ケース１の下側に隣接して他の基板ケースが設けられて、係止片７９がうまく入らないような状態）、つまり、コネクタカバー７の基板ケース１に対する取り付けが不安定な状態であっても、コネクタカバー７は、裏カバー９７で基板ケース１側に圧接されているので、その結果、コネクタカバー７が基板ケース１から容易に外れてしまうことを防止できる。また、裏カバー９７はパチンコ機９６にもともとある構成であり、これを利用することで、新たな構成を付加することがなく、その結果、パチンコ機９６背面側の限られたスペースを有効に活用することができる。
【００６６】
（３）コネクタカバー７は、基板ケース１の全体を覆うのではなく、蓋体５の基板装着部２４に対応する箇所を覆うようにしたので、つまり、コネクタカバー７は、基板ケース１の左右方向はカシメカバー４０を含まない範囲を、基板ケース１の上下方向は上側のコネクタ４（開口２６）を含まない範囲を覆うようにしたので、即ち上側のコネクタ４（開口２６）は裏カバー９７で覆うようにしたので、その分、コネクタカバー７を小さく形成することができ、その結果、コネクタカバー７が基板ケース１から外れやすくなってしまうことを防止できる。
【００６７】
（４）コネクタカバー７は、中央部分は基板ケース１に当接させると共に、下側に設けた係止片７９により基板ケース１に係止し、この逆側である上側に設けた上端突片６、リブ１８のみを裏カバー９７で基板ケース１側に圧接するようにしたので、その結果、テコの原理によりコネクタカバー７の基板ケース１に対する固定強度が増し、より安定的に基板ケース１にコネクタカバー７を保持することができる。加えて、このように構成することで、コネクタカバー７をより小さく形成することができる。
【００６８】
（５）コネクタカバー７は、透明な材料にて形成され、さらに、もともと基板ケース１に設けられていた取付部材２０ａにカバー装着用取付部材２０ａｋを一体的に形成し、このカバー装着用取付部材２０ａｋにネジ２３を螺入することで、基板ケース１に固定するようにしたので、つまり、基板ケース１にもともとある構成を利用し、新たな構成を付加することなくコネクタカバー７を基板ケース１に固定するようにしたので、その結果、従来からある基板ケース１の視認性を損なうことがなく、且つ基板ケース１の構造を複雑化させることを防止できる。即ち、コネクタカバー７を基板ケース１に固定するため、新たにカバー装着用取付部材を設けてしまうと、このカバー装着用取付部材やそれに螺入するネジ等によって、視認性が損なわれると共に、基板ケース１の構造が複雑化し、コストアップとなる。
【００６９】
（６）コネクタカバー７は、肉厚が薄く形成され、基板ケース１は、コネクタカバー７が取り付けられた状態とコネクタカバー７が取り付けられていない状態とで、その大きさはほとんど変わらないようになっている。パチンコ機９６の背面側は、様々な部品や装置等が密集して設けられ、余分なスペースや隙間はほとんどない。従って、基板ケース１にコネクタカバー７を取り付けて、コネクタ４に対する不正行為を防止するようにしても、パチンコ機９６背面側の貴重なスペースを余分にとる必要はなく、その結果、パチンコ機９６の設計に支障することがない。
【００７０】
（７）裏カバー９７は、コネクタカバー７や基板ケース１の全体を覆うのではなく、払出制御基板２の上側のコネクタ４（開口２６）及びコネクタカバー７を基板ケース１に固定しているネジ２３までの箇所を覆うようにしたので、その分、裏カバー９７を小さく形成することができ、その結果、コストを抑えることができる。しかも、裏カバー９７は、パチンコ機９６にもともとある構成であり、これを利用することで、新たな構成を付加することがなく、即ち、裏カバー９７の下端部９８を下方に延設するだけで、容易に上記した上側のコネクタ４とネジ２３の箇所を覆うことができる。また、裏カバー９７がネジ２３の箇所を覆うことにより、ネジ２３を不正に取り外そうとすると、まず、裏カバー９７を支障のない位置まで開放もしくは裏カバー９７を取り外さなければならず、その結果、コネクタカバー７の開放に時間がかかり、コネクタ４に対する不正行為が困難になる。
【００７１】
（８）払出制御基板２の上側に位置するコネクタ４は、遊技盤側に取り付けられた主制御基板と接続され、遊技盤を交換するとき等で、頻繁に抜き差しが行われるコネクタであり、従って、この上側のコネクタ４をコネクタカバー７で覆ってしまうと、この配線作業が煩雑になってしまい、好ましくないが、本実施形態では、上側のコネクタ４は裏カバー９７のみで覆うようにしたので、これにより、裏カバー９７を開放するだけでこのような上側コネクタ４の配線作業を行うことができる。即ち、枠部材１００側に取り付けられた球払出装置と接続され、ほとんど抜き差しが行われない払出制御基板２の下側に位置するコネクタ４は、コネクタカバー７で覆って不正対策を強化し、頻繁に抜き差しが行われる払出制御基板２の上側に位置するコネクタ４は、裏カバー９７のみで覆って作業性も考慮に入れた不正対策を施しているのである。
【００７２】
以上、本発明の実施形態に係わる遊技機を図面に基づいて説明してきたが、具体的な構成は実施形態に示したものに限定されるものではなく、本発明の要旨を逸脱しない範囲における変更や追加などがあっても本発明に含まれる。例えば、上述した実施形態においては、基板ケース１に収容する制御基板は、遊技球の払出制御を行う払出制御基板２で説明したが、これは遊技全体のメイン制御を行う主制御装置の主制御基板や、その他の制御基板を収容するようにしてもよい。
【００７３】
また、本実施形態では、図１で示したように、払出制御基板２の基板ケース１の上側に主制御基板の基板ケース９５が設けられる構成、つまり、裏カバー９７の下端部９８が、コネクタカバー７の上側に位置する上端突片６やリブ１８を基板ケース１側へ圧接する構成を示したが、例えば、逆に、払出制御基板２の基板ケース１の下側に主制御基板の基板ケース９５が設けられるときは、上述した実施形態に準じて、裏カバー９７の上端部が、コネクタカバー７の下側に位置するリブ等の部材を基板ケース１側へ圧接することで、コネクタカバー７をパチンコ機９６に取り付けるようにすればよい。なお、これは、払出制御基板２の基板ケース１の左右側に主制御基板の基板ケース９５が設けられる場合であっても、同様である。
【００７４】
また、裏カバー９７は、第三者が容易に開放又は着脱できないように、ロック機構を設けるようにしてもよい。このようにすれば、制御基板のコネクタに対する不正行為を、さらに困難にして防止することができる。また、遊技機はパチンコ機９６で説明したが、これは限定するものではなく、例えば、スロットマシンやアレパチ、雀球等、制御基板を収容する基板ケースが設置されるような遊技機に本発明を適用できることは、言うまでもない。
【符号の説明】
【００７５】
１…基板ケース、  ２…払出制御基板、
３…ベース体、  ４…コネクタ、
５…蓋体、  ６…上端突片、
７…コネクタカバー、  ９…スライド固定部、
１０…下板、  １０ａ…裏面、
１３…ベース板、  １４…筒状部材、
１５…支持腕、  １６…収納空間、
１７…リング、  １８…リブ、
１９…放熱孔、  ２０ａ、２０ｂ、２０ｃ、２０ｄ…取付部材、
２０ａｈ…基板装着用取付部材、  ２０ａｋ…カバー装着用取付部材、
２１…ネジ、  ２２…仕切板、
２３…ネジ、  ２４…基板装着部、
２５…上面板、  ２６…開口、
２７…ワンウェイビス、  ２８…カシメピン、
２９…スライド固定部、  ３０…右上板、
３１…左上板、  ３４…筒状部材、
３５…支持腕、  ３６…収納空間、
４０…カシメカバー、  ４１…ガイド部材、
４２…ネジ、  ４３…孔、
５０…固定部材、  ５１…本体、
５２…係止部、  ５３…スリット、
５４…逆止片、  ５４ａ…挿入部、
５４ｂ…係止部、  ５５…ワッシャ、
５６…筒状部、  ５７…段差部、
５８…フランジ部、  ５９…連通孔、
６０…待機空間、  ７２…放熱開口、
７３ａ、７３ｂ…フック、  ７５…覆板、
７６…底板、  ７７…ネジ孔部、
７９…係止片、  ８０…爪、
８１…ガイド片、  ８２…ストッパ片、
８３…先端、  ８４…溝、
９１…受板、  ９２…覆板、
９３…先端、  ９４…溝、
９５…基板ケース、  ９６…パチンコ機、
９７…裏カバー、  ９８…下端部、
９８ａ…遮蔽部、  ９９…窓、
１００…枠部材
【図１】
0005821470.tif 000002
【図２】
0005821470.tif 000003
【図３】
0005821470.tif 000004
【図４】
0005821470.tif 000005
【図５】
0005821470.tif 000006
【図６】
0005821470.tif 000007
【図７】
0005821470.tif 000008
【図８】
0005821470.tif 000009
【図９】
0005821470.tif 000010
【図１０】
0005821470.tif 000011
【図１１】
0005821470.tif 000012
【図１２】
0005821470.tif 000013
【図１３】
0005821470.tif 000014
【図１４】
0005821470.tif 000015
【図１５】
0005821470.tif 000016
【図１６】
0005821470.tif 000017
【図１７】
0005821470.tif 000018